(57)【要約】【課題】前側及び後側スプリングに作用する種々の方向のストレスを軽減することにより揺れや耐衝撃性に優れたレンズ駆動装置を提供する。【解決手段】  本発明のレンズ駆動装置１は、レンズ支持体７の光軸方向前後にそれぞれ前側スプリング９と後側スプリング１１とが取付けてあり、前側スプリング９及び後側スプリング１１はそれぞれ平面視円環状の板ばねであり、内周側端部９ａ、１１ａは円環状を成し、外周側端部９ｂ、１１ｂは内周側端部９ａ、１１ａよりも半径の大きな円環状を成しており、内周側端部９ａ、１１ａと外周側端部９ｂ、１１ｂとの間に設けた腕部２５には、互いに半径の異なる径で周方向に沿って設けた複数の周囲部２５ａ、２５ｂ、２５ｃと、内周の連結部２８と、外周側の連結部３０とが設けてあり、各周囲部２５ａ、２５ｂ、２５ｃの端部が湾曲状の繋部３１で繋いであり且つ各連結部２８、３０が湾曲状としてある。【選択図】      図１
2006201525.tif 000002
【特許請求の範囲】
【請求項１】
ベースと、レンズ支持体と、同心円状に配置していずれか一方をベースに他方をレンズ支持体に取り付けたマグネット及びコイルと、少なくとも内周側端部をレンズ支持体に取り付け外周側端部をベースに取り付けた前側スプリング及び後側スプリングとを備え、前側スプリング及び後側スプリングは、レンズの光軸方向の前後でそれぞれレンズ支持体に取り付けてあり、コイルに通電して生じる電磁力によりレンズ支持体をレンズの光軸方向に移動するレンズ駆動装置であって、
前側スプリング及び後側スプリングはそれぞれ平面視円環状の板ばねであり、内周側端部は円環状を成し、外周側端部は内周側端部よりも半径の大きな円環状を成しており、内周側端部と外周側端部との間に腕部が設けてあり、腕部は互いに半径の異なる径で周方向に沿って設けた複数の周囲部と、内周側端部との連結部と、外周側端部との連結部とを有し、複数の周囲部は端部を湾曲状の繋部で繋いで連続してあり、各連結部は半径方向に突設する湾曲状としてあることを特徴とするレンズ駆動装置。
【請求項２】
腕部及び各連結部は、略同じ巾としてあることを特徴とする請求項１に記載のレンズ駆動装置。
【発明の詳細な説明】
【技術分野】
【０００１】
本発明は、携帯型小型カメラ等に用いられるレンズ駆動装置に関する。
【背景技術】
【０００２】
特許文献１には、光軸方向の前後でレンズ支持体に前側スプリングと後側スプリングとを取り付けて、コイルに通電して生じる電磁力によりレンズ支持体をレンズの光軸方向に移動するレンズ駆動装置が開示されている。
【０００３】
図５に示すように、従来の前側スプリングと後側スプリング（略同一形状である為一方のみを示す）５１とは、各々円環状に形成されており、内周側端部（内環）５３と外周側端部（外環）５５とをこれらの間に周方向に沿って設けた腕部５７で連結した構成が開示されている。そして、内周側端部５３と腕部５７との連結部（内周側連結部）５９、及び外周側端部５５と腕部５７との連結部（外周側連結部）６１はそれぞれ半径方向に突設している。
【０００４】
【特許文献１】特開２００４−２８００３１号公報
【発明の開示】
【発明が解決しようとする課題】
【０００５】
しかし、特許文献１の各スプリング５１では、周方向、半径方向やねじれ方向のストレスが作用すると、腕部５７及び連結部５９、６１がそれらのストレスを直接受けたり局所的に受けやすい為、腕部５７及び連結部５９、６１がそれぞれ変形や損傷を生じるおそれがある。
【０００６】
特に、携帯小型カメラ等に用いられるレンズ駆動装置においては、小型カメラをポケットやバック等に入れて持ち歩くことが多いため、小型カメラの携帯時（非使用時）にレンズ駆動装置に揺れや衝撃が作用し、これらの揺れや衝撃が周方向、半径方向やねじれ方向のストレスとして前側スプリングや後側スプリングに作用することがある。
【０００７】
そこで、本発明は、前側及び後側スプリングに作用する種々の方向のストレスを軽減することにより揺れや耐衝撃性に優れたレンズ駆動装置の提供を目的とする。
【課題を解決するための手段】
【０００８】
請求項１に記載の発明は、ベースと、レンズ支持体と、同心円状に配置していずれか一方をベースに他方をレンズ支持体に取り付けたマグネット及びコイルと、少なくとも内周側端部をレンズ支持体に取り付け外周側端部をベースに取り付けた前側スプリング及び後側スプリングとを備え、前側スプリング及び後側スプリングは、レンズの光軸方向の前後でそれぞれレンズ支持体に取り付けてあり、コイルに通電して生じる電磁力によりレンズ支持体をレンズの光軸方向に移動するレンズ駆動装置であって、前側スプリング及び後側スプリングはそれぞれ平面視円環状の板ばねであり、内周側端部は円環状を成し、外周側端部は内周側端部よりも半径の大きな円環状を成しており、内周側端部と外周側端部との間に腕部が設けてあり、腕部は互いに半径の異なる径で周方向に沿って設けた複数の周囲部と、内周側端部との連結部と、外周側端部との連結部とを有し、複数の周囲部は端部を湾曲状の繋部で繋いで連続してあり、各連結部は半径方向に突設する湾曲状としてあることを特徴とする。
【０００９】
請求項２に記載の発明は、請求項１に記載の発明において、腕部及び各連結部は、略同じ巾としてあることを特徴とする。
【発明の効果】
【００１０】
請求項１に記載の発明によれば、腕部において、半径の異なる複数の周囲部は円弧状の繋部で繋いで連続してあるので、内周側端部との連結部（以下、「内周側連結部」という）と外周側端部との連結部（以下「外周側連結部」という）との間に作用する半径方向、周囲方向や捩れ方向のストレスに対して、湾曲状の繋部が弾性変形してこれらの方向のストレスを軽減する。一方、内周側連結部及び外周側連結部においても、半径方向や、周囲方向や捩れ方向のストレスを受けると、それぞれ湾曲状に形成しているので、各連結部が容易に弾性変形して各方向のストレスを軽減する。
【００１１】
しかも、腕部、内周側連結部及び外周側連結部が、各方向のストレスに対してそれぞれ容易に弾性変形することから、各部に作用するストレスを一体になって軽減できる。
【００１２】
腕部の繋部と、内周側連結部と外周側連結部とをそれぞれ湾曲状に形成するだけであるから、構成が簡易で従来と同様な形抜き等により製造できる。
【００１３】
更に、前側スプリングと後側スプリングとに本来要求されるレンズ支持体に作用する光軸方向の付勢力を損なうことがない。
【００１４】
請求項２に記載の発明によれば、請求項１に記載の作用効果を得ることができると共に、腕部の繋部、内側連結部及び外側連結部に略均等にストレスを分散でき、ストレスが局所的に集中することを防止できる。
【発明を実施するための最良の形態】
【００１５】
以下に、添付図面を参照して本発明の実施の形態を説明する。図１は図２に示す前側スプリング及び後側スプリングの平面図であり、図２は本実施の形態にかかるレンズ駆動装置の分解斜視図であり、図３は本実施の形態にかかるレンズ駆動装置の縦断面図であり、図４は図３に示すレンズ駆動装置が駆動した状態を示す縦断面図である。
【００１６】
本実施の形態にかかるレンズ駆動装置１は、携帯電話に組み込まれるオートフォーカスカメラのレンズ駆動装置である。
【００１７】
このレンズ駆動装置１は、略円筒形状のヨーク３と、ヨーク３が装着されるベース５と、ヨーク３の内周側に配置されるレンズ支持体７と、レンズ支持体７に取り付けられる前側スプリング９と、後側スプリング１１とを備えており、前側スプリング９はレンズ支持体７におけるレンズの光軸方向前側（一方側）に配置され後側スプリング１１はレンズの光軸方向後側（他方側）に配置されている。
ヨーク３は断面が略コ字形状であり、コ字の内部にマグネット１３が配置され、コ字の内部でマグネットの内周側にコイル１５が配置されている。マグネット１３は後方スペーサ１７を介してベース５に固定されている。コイル１５はレンズ支持体７の外周部７ａに固定されているとともにレンズ支持体７の外周部７ａがヨーク３の内部に入り込んでおり、レンズ支持体７の外周部７ａはコ字により形成されるヨーク３の隙間を移動するようになっている。
【００１８】
ベース５はヨーク３の外周面に沿って位置する外周壁５ａと、ヨーク３の後側（レンズの光軸方向の後側）に位置する基底部５ｂとを有しており、ベース５の内周側にはヨーク３が固定されている。また、基底部５ｂには後方スペーサ１７との間に後方スプリング１１の外周端部１１ｂが固定されている。尚、ベース５にはその基底部５ｂにセンサホルダ１９が取り付けられている。
【００１９】
レンズ支持体７は略円筒形状であり、その内部にレンズ２０が収納されており、ヨーク３の内周側を光軸に沿って移動自在に取り付けられている。
【００２０】
前側スプリング９は平面視略円環状の板ばねであり、内周側端部９ａと外周側端部９ｂとが設けてある。内周側端部９ａは円環状を成し、外周側端部９ｂは内周側端部よりも半径の大きな円環状を成し、内周側端部９ａと外周側端部９ｂとの間に腕部２５が設けてある。内周側端部９ａはレンズ支持体７とキャップ２４に挟持されて固定してあり、外周側端部９ｂはベース５に固定されたヨーク３とフレーム２３との間に挟持され固定してあり、外周側端部９ｂとヨーク３との間には前方スペーサ２１が介在されている。
【００２１】
後側スプリング１１は前側スプリング９と略同一形状であり、平面視略円環状の板ばねである。内周側端部１１ａは円環状を成し、外周側端部１１ｂは内周側端部１１ａよりも半径の大きな円環状を成しており、内周側端部１１ａと外周側端部１１ｂとの間に腕部２５が設けてある。後側スプリング１１の内周側端部１１ａはレンズ支持体７の後端に固定してあり、外周側端部９ｂはベース５の基底部５ｂと後方スペーサ１７との間に固定されている。
【００２２】
これらの前側スプリング９と後側スプリング１１とは、各々組み立て前の自然状態（負荷がかかっていない状態）において平坦である。
【００２３】
ここで、前側スプリング９と後側スプリング１１の構成について更に詳しく説明するが、前側スプリング９と後側スプリング１１の構成は略同一であるため、前側スプリング９について説明し、後側スプリング１１の構成は省略する。
【００２４】
前側スプリング９には、内周側端部９ａと外周側端部９ｂとの間には、３つの腕部２５が設けてあり、各腕部２５が内周側端部９ａと外周側端部９ｂとを繋いでいる。各腕部２５は周方向に沿って設けてあり、隣り合う腕部２５、２５の間には、レンズ支持体７の突起７ｂ（図４参照）の挿入空間２７が設けてある。レンズ支持体７の突起７ｂは、この挿入空間２７を介してベース５の基底部５ｂに当接可能となっている。
【００２５】
各腕部２５は互いに半径の異なる径で周方向に沿って設けた３つの周囲部２５ａ、２５ｂ、２５ｃと、内周側連結部２８と、外周側連結部３０とを有している。各周囲部１１ａ、１１ｂ、１１ｃは端部を湾曲状（本実施の形態では半円の円弧状）の繋部３１で繋いで連続してある。
【００２６】
内周側連結部２８は内周側端部９ａから半径方向外方に突設する円環の略３／４を成す円弧状としてあり、円弧状の端部に腕部２５が繋がれている。外周側連結部３０は外周側端部９ｂから半径方向内方に突設する円弧状としてあり円環の略３／４を成す円弧状としてあり、円弧状の端部に腕部２５が繋がれている。
【００２７】
各腕部２５と内周側連結部２８と外周側連結部３０とは、それぞれ略同じ巾に形成されている。
【００２８】
次に、本発明にかかるレンズ駆動装置１の組み立て、作用及び効果について説明する。
組み立ては、レンズ支持体７に後側スプリング１１の内周側端部１１ａを取り付け、マグネット１３と、レンズ支持体７に固定したコイル１５とをヨーク３の内部に配置して、ベース５の基底部５ｂに後方スペーサ１７を介して組み付ける。尚、後側スプリング１１の挿入空間２７にはレンズ支持体７の突起７ｂを挿入する。その後、前方スペーサ２１とヨーク３との間に前方スプリング９の内周側端部９ａを載置してキャップ２４で固定すると共にフレーム２３をベース５に取り付けて前方スプリング９の外周側端部９ｂをフレーム２３で固定する。
【００２９】
尚、前側スプリング９と後側スプリング１１とは、従来と同様な形抜き等により製造する。
【００３０】
このように組み付けた状態において、レンズ支持体７は２つのスプリング９、１１に支持されているので、揺れや衝撃が生じた場合でもレンズ支持体７に揺れやガタツキが生じ難く、耐衝撃性に優れる。
【００３１】
前側スプリング９と後側スプリング１１の各腕部２５では、半径の異なる複数の周囲部２５ａ、２５ｂ、２５ｃが円弧状の繋部３１で繋いで連続してあるので、内周側連結部２８と外周側連結部３０との間に作用する半径方向のストレスや、周囲方向のストレスや捩れ方向のストレスに対して、湾曲状の繋部３１が弾性変形して、種々の方向のストレスを軽減することができる。また、内周側連結部２８及び外周側連結部３０においても、半径方向のストレスや、周囲方向のストレスや捩れ方向のストレスを受けると、円弧状に形成した各連結部２８、３０が弾性変形して各方向のストレスを軽減する。特に、内周側連結部２８及び外周側連結部３０は、各々円の１／２以上を成す円弧状にしているので、弾性変形しやすく、ストレスを吸収しやすい。
【００３２】
本実施の形態では、繋部３１、内周側連結部２８、外周側連結部３０を円弧状に形成してあるので、これらが複合的に作用することにより、上述した各方向（三次元方向）のストレスに対して弾性変形して、各方向のストレスを軽減すると共に局所的なストレスの集中を防止できる。
【００３３】
特に、腕部２５、内周側連結部２８及び外周側連結部３０は、略同じ巾としてあるので、これらの部位に略均等にストレスを分散でき、ストレスが局所的に集中することを防止できる。
【００３４】
したがって、本実施の形態にかかるレンズ駆動装置を搭載した小型カメラや携帯電話機の携帯時に揺れや衝撃が作用した場合に前側スプリング９と後側スプリング１１との損傷や破損を防止でき、耐衝撃性に優れたレンズ駆動装置を提供できる。
【００３５】
本発明は、上述した実施の形態に限らず、本発明の要旨を逸脱しない範囲で種々変形可能である。
【００３６】
例えば、マグネット１３をレンズ支持体７に固定し、コイル１５をベース５に固定してコイルの励磁によりレンズ支持体を光軸方向に駆動するものであってもよい。
【００３７】
繋部３１、内周側連結部２８及び外周側連結部３０は円弧状に形成することに限らず、湾曲していれば良い。
【図面の簡単な説明】
【００３８】
【図１】図２に示す前側スプリング及び後側スプリングの平面図である。
【図２】本実施の形態にかかるレンズ駆動装置の分解斜視図である。
【図３】本実施の形態にかかるレンズ駆動装置の縦断面図である。
【図４】図３のレンズ駆動装置が駆動した状態を示す縦断面図である。
【図５】従来技術にかかる前側スプリング及び後側スプリングの平面図である。
【符号の説明】
【００３９】
１      レンズ駆動装置
３      ヨーク
５      ベース
７      レンズ支持体
９      前側スプリング
９ａ    内周側端部
９ｂ    外周側端部
１１    後側スプリング
１１ａ  内周側端部
１１ｂ  外周側端部
１３    マグネット
１５    コイル
２５    腕部
２５ａ、２５ｂ、２５ｃ  周囲部
２８    内周側連結部
３０    外周側連結部
３１    繋部
【図１】
2006201525.tif 000003
【図２】
2006201525.tif 000004
【図３】
2006201525.tif 000005
【図４】
2006201525.tif 000006
【図５】
2006201525.tif 000007